(57)【要約】      （修正有）【課題】ビルやアパートなどの建設に際し、山型打継ぎ部及び頂角の角度決定更にゴミ集積部の形成などの手作業を皆無にして、スラブ打設等と側壁コンクリート打設との間の打継ぎ部にレイタンスの発生を無くして外部からの雨水侵入を確実に阻止するコンクリートの打継ぎ施工構造を提供する。【解決手段】スラブ打ちや基礎打ちコンクリート１００の表部の長手方向に防水ブロック３００−１、２を配列しその後に側壁コンクリート２００を打設するコンクリート打継ぎ施工構造において、防水ブロックは、窯業系サイディング材質製で予め山形に一体物或いは分割組み合わせ成型した所定長さの山形防水ブロックであることを特徴とする。【選択図】図１
0003227671.tif 000002
【実用新案登録請求の範囲】
【請求項１】
スラブ打ち又は基礎打ちコンクリート表部の中央部の長手方向に防水ブロックを配列しその後に側壁コンクリートを打設するコンクリート打継ぎ施工構造において、前記防水ブロックは、窯業系サイディング材質製で予め山形に成型した所定長さの山形防水ブロックであることを特徴とするコンクリート打継ぎ施工構造。
【考案の詳細な説明】
【技術分野】
【０００１】  本考案は、ビルやアパートなどの建設に際し、コンクリート打設の打継ぎ（うちつぎ）部にレイタンス（脆弱微細粉層）の発生を皆無にして外部からの雨水侵入を確実に阻止するコンクリートの打継ぎ（うちつぎ）施工構造に関するものである。
【背景技術】
【０００２】  従来、複数階建ての住宅やアパート、ビル等の建設の時、基礎コンクリートや床スラブ（天井スラブも）と側壁部コンクリート底部とのコンクリート打継ぎの方法としては基礎コンクリート打設後にその側部平面上に側壁部コンクリートを直接打設するものであった。
例えば、１階部分の基礎コンクリートの打設後に、その側部の平面上に側壁部コンクリートを直接打設し、次いで２階部分の床スラブ（１階の天井スラブでもある）を打設する。この打設したコンクリートが数日後硬化してから２階の床スラブの側部平面上に２階の側壁部コンクリートを打設し次いで３階の床スラブを打設することを順次行うものであった。
しかしながら、前記打設の基礎コンクリートや床スラブは、打設後１日程経過すると、側壁部コンクリート底面との打継部の表面上に白いのり状なもの（以下レイタンスという）が発生する。これは硬化性の微細粉からなっている。このレイタンスは、そのままにして、その上にモルタルを塗り、又は側壁部コノクリートを打継いでも接着性が非常に脆弱であると共に打継部の該レイタンスから雨水が毛細管現象で侵入して、雨漏りの原因となっている。また侵入雨水により鉄筋コンリートの鉄筋が錆び、建物の崩壊の原因ともなっている。【０００３】  このような雨水の侵入を防止するため、側壁部コンクリートの打設前に止水板を当該打継部の幅方向帯に竪設しておく工法も提案されたが、コストも嵩む一方、３０００ｍｍ〜３６００ｍｍの高所から側壁部用の生コンクリートを流入落下させるので、生コンクリートとの衝突圧力で止水板が曲損や破損することが多く止水機能が大きく低下し恒久対策にはなりえない。【０００４】  そこで本考案者は、過去に対策として特許文献１にて新工法を提案した。
この工法は図３（１）と（２）に示す如く「スラブ打ち又は基礎打ちのコンクリートが硬化を始めた時、側壁コンクリートの打設前に、スラブ打ちや基礎打ちのコンクリートを用いて、スラブ打ち又は基礎打ちのコンクリートの頂部において頂角αの角度を有した打継ぎ部３を形成し、型枠５の側壁と、打継ぎ部３の両斜辺下部とで構成される三角形状の断面空間からなるゴミ集積部４を設けた後に、側壁コンクリートを打設するコンクリート打継ぎ施工法と構造。」である。
【先行技術文献】
【特許文献】
【０００５】
【特許文献１】特開昭５９−５５９５６号公報（特許第１４６７５３３号）
【考案の概要】
【考案が解決しようとする課題】
【０００６】  この提案方法は、特許文献１で紹介のように、レイタンスの簡易除去効果、止水効果、鉄筋の腐蝕防止、壁の汚れ防止、建物の崩壊防止等、多くの利点が有するものの次の課題を有する。
先ず、鉄筋２を中心にして頂角αの角度をもつて山型の打継ぎ部３を、コンクリートが少し硬化し始めた頃形成するが、このタイミングが非常に難かしく、レイタンスが発生を始める時間はコンクリートの粘度によって多少異なるが、コンクリート打設後６０〜７０分以内に山型打継ぎ部３を手作業で形成しなければならない。
また打継ぎ部３における頂角αの角度の決定も手作業のため煩雑で多くの時間と労力を要する。しかも山型打継ぎ部３は不均一形状となり前記利点が大幅に低減する。
また以上の方法で形成した山型の打継ぎ部３の外側下部に目地棒１を入れ、そして型枠５を立て、その型枠５の側壁と、山型の打継ぎ部３の両斜辺下部とで構成される三角形状の断面空間からなるゴミ集積部４を形成しなければならない。【０００７】  そこで本考案は、ビルやアパートなどの建設に際し、前記の山型の打継ぎ部３及び頂角αの角度の決定更にゴミ集積部４の形成などの手作業を皆無にして、スラブ打設等と側壁コンクリート打設間の打継ぎ（うちつぎ）部に止水板を設けることなく該レイタンスの発生を無くして外部からの雨水侵入を確実に阻止するコンクリートの打継ぎ（うちつぎ）施工構造を提供する。
【課題を解決するための手段】
【０００８】  本考案は前記課題を満足するものであり、その技術的特徴は次の（１）の通りである。
（１）、スラブ打ち又は基礎打ちコンクリート表部の中央部の長手方向に防水ブロックを配列しその後に側壁コンクリートを打設するコンクリート打継ぎ施工構造において、前記防水ブロックは、窯業系サイディング材質製で予め山形に成型した所定長さの山形防水ブロックであることを特徴とするコンクリート打継ぎ施工構造。
【考案の効果】
【０００９】  本考案の前記コンクリートの打継ぎ（うちつぎ）施工構造は、ビルやアパートなどの建設に際し、前記のゴミ集積部４の形成などの手作業を皆無にして簡易に短時間で止水構造にし、しかもスラブ打設等と側壁コンクリート打設間の打継ぎ（うちつぎ）部に止水板を設けることなく外部からの雨水侵入を確実に阻止する優れた作用効果を呈する。【００１０】  また本考案において、予め成型した山形で所定長さの山形防水ブロックは例えば１．０ｋｇ／ｍ程度の防水ブロックにすると組み合わせセット構成が容易であり施工上ハンドリング的に見ても有効的である。【００１１】  この山形防水ブロックは、予め一体の山形に成型した所定長さの山形防水ブロックにし、或いは窯業系サイディング材質製の二枚の板を山形に連結しその連結部を頂部にした所定長さの山形防水ブロックにしてあるため、安価でしかも軽量高強度で材質的にも優れており、上方からの側壁打設コンクリートを山形の頂部から両斜面に滞留させることなく且つ破損することなく円滑に下流に流して均一で緻密な充填効果を得られると共にレイタンスの発生を皆無にする等の優れた作用効果が得られる。
本考案において前記窯業系サイディング材質（ようぎょうけいサイディングざい）とは、セメントと木質系成分を混合して製造される人工材質である。つまりセメント系の素材強度と木質系の特性である断熱性を最大限生かした上で表層部のガラス質のコーティングにより強度及び耐久性を確保した人造材質のことである
【図面の簡単な説明】
【００１２】
【図１】本考案の施工構造を示す概略断面説明図である。
【図２】本考案の施工構造を示す斜視説明図である。
【図３】従来特許第１４６７５３３号で紹介した施工方法を示す斜視説明図であり。（１）は横断面図、（２）は斜視説明図である。
【考案を実施するための形態】
【００１３】本考案を実施するための形態を次の実施例により具体的に詳説する。
【実施例１】
【００１４】  図１及び図２において、スラブ打ちや基礎打ちのコンクリート１００が硬化を始める前に、側壁コンクリート２００の予定の底部打設位置１０１の中央部の鉄筋４００配列の両脇長手方向に、山形防水ブロック３００−１，３００−２を予め２列配列しておく。【００１５】  防水ブロック３００−１，３００−２の配列は、各列共に、コンクリート１００の側壁コンクリート２００の予定の底部打設位置１０１で好ましくは床スラブコンクリートの打設直後に、山形防水ブロック３００−１，３００−２の下部３０４が３〜４ｍｍ程埋設される程度に押し込んで密着固定して安定させる。
図１の左側の山形防水ブロック３００−１は、窯業系サイディング材質製（：セメントと木質系成分を混合して製造される人工材質であり、セメント系の素材強度と木質系の特性である断熱性を最大限生かした上で表層部のガラス質のコーティングにより強度及び耐久性を確保した人造材質である。）で予め一体物に成形した山形防水ブロックであり、図１の右側の山形防水ブロック３００−２は前記窯業系サイディング材質製で予め成型した二枚の隅角板３００−２ａ，３００−２ｂを山形に連結した上向きの寄せ屋根状で所定長さにしたものであり、連結部を頂部３０１にした１．０ｋｇ／ｍ程度にしてある。各山形防水ブロック３００−１，３００−２例とも頂部角度は６０度〜１００度にしておく。また頂部３０１からの両斜辺３０２、３０３を３０ｍｍ、高さ２５ｍｍにしたものである。【００１６】  この山形防水ブロック３００−１，３００−２の寸法仕様と組み合わせは一例であり、本考案では何ら限定するものではなく床スラブや基礎コンクリート１００、および側壁コンクリート２００の設計仕様によって臨機応変に相対的仕様にすればよい。
次に本例では、側壁コンクリート２００の予定の底部打設位置１０１即ち床スラブのコンクリート打設直後の上面上に、山形防水ブロック３００−１，３００−２を配列し、その後に、側壁用の生コンクリートを打設するのである。【００１７】  この上からの側壁用の打設生コンクリートは、山形防水ブロック３００−１，３００−２の頂部３０１から両斜面３０２、３０３に滞留させることなく下流に流れて均一で緻密な充填効果を良好にすると共にレイタンスの発生を皆無にする効果がえられた。
因みに本例での基礎コンクリート１００、および側壁コンクリート２００の生コンは、表１に示す日本工業規格のＪＩＳ  Ａ  ５３０８  レディーミクストコンクリート（Ｒｅａｄｙ  Ｍｉｘｅｄ  Ｃｏｎｃｒｅｔｅ）の普通コンクリートである。【００１８】
【表１】
0003227671.tif 000003
【産業上の利用可能性】
【００１９】  本考案は前述の優れた作用効果を呈するため、ビルやアパートなどの建設業界に貢献すること多大なものがあり産業上の利用可能性は充分である。
【符号の説明】
【００２０】１００：スラブ打ちや基礎打ちのコンクリート
１０１：予定の底部打設位置
２００：側壁コンクリート
３００−１，３００−２：窯業系サイディング材質製の山型防水ブロック
３０１：頂部
３０２、３０３：両斜辺
３０４：下部
４００：鉄筋
【図１】
0003227671.tif 000004
【図２】
0003227671.tif 000005
【図３】
0003227671.tif 000006